(57)【要約】【課題】  検索対象となる複数の文書について、各ユーザにより任意に選択された複数の単語の組合せが同時に含まれるか否かを調べることにより、検索結果として取得した文書集合の特徴を正確に把握させることを可能とする文書検索処理装置を提供する。【解決手段】  文書検索装置１００の備える文書検索処理部１０１は、検索結果として取得した文書に含まれるキーワード及び関連キーワードの頻度を算出する頻度算出処理部１０４を有し、検索結果及び各頻度の算出結果をＷｅｂページ１１０に表示する。関連キーワード登録処理部１０３は、各ユーザにより任意に選択されたキーワードの組合せについて、関連キーワードとしての登録要求を受付け、関連キーワードデータベース１０９に格納する。【選択図】      図１
2005056154.tif 000002
【特許請求の範囲】
【請求項１】
文書データベースに格納された文書集合の中から、任意の検索キーワードに基づき文書検索処理を行う文書検索装置において、
前記文書検索装置は、アクセス可能な情報格納手段として、任意に選択された複数のキーワードから構成される関連キーワードを格納する関連キーワード格納手段を備えるとともに、
文書検索処理結果として取得した各文書から、前記関連キーワード格納手段に予め格納された関連キーワードが含まれる文書数を示す関連キーワード頻度を算出し、各関連キーワードについて前記関連キーワード頻度を表示する頻度算出手段を備えることを特徴とする文書検索装置。
【請求項２】
前記文書検索装置は、各ユーザにより任意に選択された複数のキーワードの組合せ又はキーワードと関連キーワードとの組合せを、関連キーワードとして各ユーザ毎に前記関連キーワード格納手段に格納する関連キーワード登録手段をさらに備えることを特徴とする請求項１に記載の文書検索装置。
【請求項３】
前記頻度算出手段は、
文書検索処理結果として取得した各文書について、検索キーワードとして利用可能なキーワード毎に出現頻度を示すキーワード頻度を算出する手段と、前記関連キーワード頻度及び前記キーワード頻度を表示する手段とを有し、
前記関連キーワード登録手段は、前記各頻度とともに表示されたキーワード又は関連キーワードの中から任意に選択された複数のキーワードの組合せ又はキーワードと関連キーワードとの組合せを、前記関連キーワードとして前記関連キーワード格納手段に格納することを特徴とする請求項２に記載の文書検索装置。
【請求項４】
前記頻度算出手段は、
ユーザにより任意に指定された文書について、検索キーワードとして利用可能なキーワード毎に出現頻度を示すキーワード頻度を算出する手段と、前記関連キーワード頻度及び前記キーワード頻度を表示する手段とを有し、
前記関連キーワード登録手段は、前記各頻度とともに表示されたキーワード又は関連キーワードの中から任意に選択された複数のキーワードの組合せ又はキーワードと関連キーワードとの組合せを、前記関連キーワードとして前記関連キーワード格納手段に格納することを特徴とする請求項２に記載の文書検索装置。
【発明の詳細な説明】
【技術分野】
【０００１】
本発明は、文書データベースに格納された特定の文書集合から、検索キーワードに基づく検索処理を行う文書検索装置に関し、特に、検索結果として取得した文書中における検索キーワードの出現頻度を算出する手段を備えた構成に関する。
【背景技術】
【０００２】
従来から文書データベースに格納された複数の文書から、任意の検索キーワードを含む文書を検索する文書検索装置があることが知られている。
従来の技術によると検索結果の対象となる文書集合について、まず、検索の対象となる文書の特徴をユーザが把握し、検索しようとする文書集合に対し、適切な検索キーワードを抽出及び選択させる必要があるため、各文書集合に出現する特徴を示すキーワードの出現頻度を算出して、出現率の高いキーワードを、関連キーワードとして表示する手段を備えた検索装置が公知となっている（例えば、特許文献１参照。）
【特許文献１】特開平１１−０２５１０８号公報
【発明の開示】
【発明が解決しようとする課題】
【０００３】
しかし、前記特許文献１に記載の文書検索装置では、検索対象となる文書集合について、個々のキーワード毎に出現頻度を算出しているため、文書の特徴を正確に判断させることが困難となっていた。
即ち、文書の検索処理において、文書集合の特徴を正確に把握させるためには、任意に選択された複数の単語の組合せが同時に含まれているか否かを調べることが必要となるが、前記特許文献１に記載の文書検索装置では、個々のキーワード毎の出現頻度を算出するのみであったため、任意の単語の組合せについての出現頻度を算出することは出来なかった。
従って、各ユーザは、任意の複数の単語の組合せが含まれているか否かについて、各文書毎に調べることが必要となり、非常に煩雑な作業となっていた。
【０００４】
本発明は前記課題を解決するためのものであり、検索対象となる複数の文書について、各ユーザにより任意に選択された複数の単語の組合せが同時に含まれるか否かを調べることにより、検索結果として取得した文書集合の特徴を正確に把握させることを可能とし、適切な関連キーワードを選択させることのできる文書検索処理装置を提供することを目的とする。
【課題を解決するための手段】
【０００５】
前記課題を解決するため、本発明は、文書データベースに格納された文書集合の中から、任意の検索キーワードに基づき文書検索処理を行う文書検索装置において、前記文書検索装置は、アクセス可能な情報格納手段として、任意に選択された複数のキーワードから構成される関連キーワードを格納する関連キーワード格納手段を備えるとともに、文書検索処理結果として取得した各文書から、前記関連キーワード格納手段に予め格納された関連キーワードが含まれる文書数を示す関連キーワード頻度を算出し、各関連キーワードについて前記関連キーワード頻度を表示する頻度算出手段を備えることを特徴とする。
また、前記文書検索装置は、各ユーザにより任意に選択された複数のキーワードの組合せ又はキーワードと関連キーワードとの組合せを、関連キーワードとして各ユーザ毎に前記関連キーワード格納手段に格納する関連キーワード登録手段をさらに備えることを特徴とする。
また、前記頻度算出手段は、文書検索処理結果として取得した各文書について、検索キーワードとして利用可能なキーワード毎に出現頻度を示すキーワード頻度を算出する手段と、前記関連キーワード頻度及び前記キーワード頻度を表示する手段とを有し、前記関連キーワード登録手段は、前記各頻度とともに表示されたキーワード又は関連キーワードの中から任意に選択された複数のキーワードの組合せ又はキーワードと関連キーワードとの組合せを、前記関連キーワードとして前記関連キーワード格納手段に格納することを特徴とする。
また、前記頻度算出手段は、ユーザにより任意に指定された文書について、検索キーワードとして利用可能なキーワード毎に出現頻度を示すキーワード頻度を算出する手段と、前記関連キーワード頻度及び前記キーワード頻度を表示する手段とを有し、前記関連キーワード登録手段は、前記各頻度とともに表示されたキーワード又は関連キーワードの中から任意に選択された複数のキーワードの組合せ又はキーワードと関連キーワードとの組合せを、前記関連キーワードとして前記関連キーワード格納手段に格納することを特徴とする。
【発明の効果】
【０００６】
以上の構成により、本発明では、検索結果として取得した文書集合について、関連キーワード頻度として各関連キーワードを含む文書数を表示することとしたので、関連キーワード頻度に基づき、前記文書集合の特徴を正確に把握させることが可能となり、文書検索において適切なキーワードを選択させることが可能となる。従って、ユーザにとって、所望の文書を取得させることが容易となる。
この場合、各ユーザにより任意に選択されたキーワード等の組合せを関連キーワードとして登録することとしたので、各ユーザ毎の関連キーワードについて関連キーワード頻度の算出が可能となり、各ユーザの求める特徴を有する文書か否かを適切に判断させることが可能となる。
また、検索結果として取得した文書について、キーワード頻度，関連キーワード頻度とともに表示されたキーワード又は関連キーワードから、任意に選択されたキーワードの組合せを関連キーワードとして登録することとしたので、ユーザは表示された各頻度により、関連キーワードとして適切なキーワードの組合せを選択させることが可能となる。
また、任意に指定された文書について、キーワード頻度，関連キーワード頻度とともに表示されたキーワード又は関連キーワードから、任意に選択されたキーワードの組合せを関連キーワードとして登録することとしたので、ユーザは所定の文書と同様の特徴を有する文書を検索するための関連キーワードを容易に選定することが可能となる。
【発明を実施するための最良の形態】
【０００７】
以下、本発明の実施の形態について図面に基づき説明する。
図１は、本発明の一実施の形態に係る文書検索装置の概略構成を示すブロック図である。
本実施の形態に係る文書検索装置１００は、各処理部として文書検索処理部１０１キーワード表示処理部１０２と、関連キーワード登録部１０３とを備え、文書検索処理部１０１は、頻度算出処理部１０４を備えるとともに、各処理部１０１〜１０４がアクセス可能な情報格納手段として、文書データベース１０５と、キーワードデータベース１０６と、キーワード頻度データベース１０７と、ユーザデータベース１０８と、関連キーワードデータベース１０９とを有する。
文書検索装置１００は、ネットワークを介して接続されたクライアント端末のブラウザによりアクセス可能なＷｅｂページ１１０に、検索条件入力画面，検索結果表示画面等を表示する。
文書検索処理部１０１は、Ｗｅｂページ１１０により入力された検索キーワード又は文書ＩＤ等の検索条件に基づき文書データベース１０５に格納された文書について文書検索処理を行う。この際、頻度算出処理部１０４は、検索結果として取得した文書に含まれるキーワード及び関連キーワードの頻度を算出して、検索結果及びキーワード頻度の算出結果をＷｅｂページ１１０に表示する。
キーワード表示処理部１０２は、キーワードデータベース１０６に格納されたキーワードを取得して、関連キーワードとして登録可能なキーワードの一覧をＷｅｂページ１１０に表示する。
関連キーワード登録処理部１０３は、各ユーザにより任意に選択されたキーワードの組合せについて、関連キーワードとしての登録要求を受付け、関連キーワードデータベース１０９に格納する。
【０００８】
図２は文書データベース１０５に格納されるのレコードのデータ構造の一例を示す図である。
文書データベース１０５は、検索対象となる文書についての各情報を格納するものであり、各レコード２００は、各文書を一意に識別する文書ＩＤ２０１と、各文書のタイトル２０２と、各文書の著者２０３と、各文書全文の文書内容２０４とから構成される。
【０００９】
図３は、キーワードデータベース１０６に格納されるレコードのデータ構造の一例を示す図である。
キーワードデータベース１０６は、各文書に含まれる検索キーワードとして利用可能なキーワードを格納するものであり、各レコード３００は、各キーワードを一意に識別するためのキーワードＩＤ３０１と、キーワード３０２とから構成される。
【００１０】
図４は、キーワード頻度データベース１０７に格納されるレコードのデータ構造の一例を示す図である。
キーワード頻度データベース１０７は、文書データベース１０５に格納された各文書について、キーワードデータベース１０６に格納された各キーワードの出現頻度に関する情報を格納するものであり、各レコード４００は、文書ＩＤ４０１と、キーワードＩＤ４０２と、各文書内における各キーワードの出現頻度を示す頻度４０３とから構成される。
【００１１】
図５は、ユーザデータベース１０８に格納されるレコードのデータ構造の一例を示す図である。
ユーザデータベース１０８は、文書検索装置１００を利用するユーザに関する情報を格納したものであり、レコード５００は、各ユーザを一意に識別するユーザＩＤ５０１と、パスワード５０２とから構成される。
【００１２】
図６は、関連キーワードデータベース１０９に格納されるレコードのデータ構造の一例を示す図である。
関連キーワードデータベース１０９は、各ユーザ毎に任意に選択されたキーワードの組合せを関連キーワードとして格納するものであり、レコード６００は、ユーザＩＤ６０１と、関連キーワード６０２とから構成される。ここで、関連キーワード６０２は、各関連キーワードを構成する複数のキーワードのキーワードＩＤが、カンマ区切りで格納される。
【００１３】
以上の構成により、本実施の形態に係る文書検索装置の行う各処理について説明する。
図７は、文書検索装置の行う文書検索処理として、検索キーワードに基づく検索処理手順を示すフローチャートである。
文書検索装置１００の文書検索処理部１０１は、Ｗｅｂページにアクセスしたユーザ端末から検索キーワードの指定を受付け（ステップ７０１）、文書検索処理を行う（ステップ７０２）。文書検索処理では、指定された検索キーワードについて、キーワードデータベース１０６からキーワードＩＤを取得し、当該キーワードＩＤに基づき、キーワード頻度データベース１０７から文書ＩＤ４０１を取得する。
文書検索処理部１０１の頻度算出処理部１０４は、検索結果として取得した文書について、キーワード頻度データベース１０７に格納された各キーワードの頻度４０３を取得して、合計を算出するとともに（ステップ７０３）、検索要求を行ったユーザについて登録されている関連キーワードの出現頻度を算出する（ステップ７０４）。
ステップ７０４の関連キーワード出現頻度の算出では、検索要求を行ったユーザのユーザＩＤに基づき、関連キーワードデータベース１０９から関連キーワード６０２を取得し、当該関連キーワード６０２を含む文書の件数を合計して算出する。
関連キーワード６０２を含む文書の件数を合計して算出する場合には、関連キーワードを構成する個々のキーワードについてキーワードデータベース１０６からキーワードＩＤ３０１を取得し、当該キーワードＩＤ３０１に基づき、キーワード頻度データベース１０７から、関連キーワードを構成する全てのキーワードを含む文書の文書ＩＤ４０１を取得する。
文書検索処理部１０１は、検索結果として取得した文書と、頻度算出処理部１０４の取得したキーワード及び関連キーワードのそれぞれの出現頻度とを、検索結果としてＷｅｂページ１１０に表示する（ステップ７０５）。
その後、文書検索処理部１０１は、ユーザ端末からの絞込検索要求があった場合には（ステップ７０６）、再度の検索処理を行う（ステップ７０１〜７０５）。この場合、絞込み検索に使用するキーワードは、出現頻度とともに表示したキーワード又は関連キーワードの中から指定可能とする。
また、検索結果として取得した文書について、文書閲覧要求があった場合には（ステップ７０８）、指定された文書について文書データベース１０５に格納された文書内容を、Ｗｅｂページ１１０に表示する。
【００１４】
図８は、文書検索装置１００の行う関連キーワード登録処理手順を示すフローチャートである。
文書検索装置１００のキーワード表示処理部１０２は、キーワードの表示要求を受付け（ステップ８０１）、キーワードデータベース１０５に格納されている全キーワードを取得し（ステップ８０４）、取得したキーワードをＷｅｂページ１１０に一覧表示する（ステップ８０３）。
ユーザ端末により、一覧表示されたキーワードについて２つ以上のキーワードの指定がされた場合に（ステップ８０４）、関連キーワード登録処理部１０３は、キーワード登録要求待ちの状態となり、ユーザ端末からのキーワード登録要求を受付けることにより（ステップ８０５）、新たな関連キーワードとして関連キーワード登録処理を行う（ステップ８０６）。キーワードの指定においては、１つのキーワードと関連キーワードとを指定した場合も、２つ以上のキーワードの指定として扱う。
関連キーワードの登録処理では、キーワード登録要求を行ったユーザのユーザＩＤと、関連キーワードを構成する複数のキーワードを示すキーワードＩＤとを対応付けて、関連キーワードデータベース１０９に格納する。
一方、２つ以上のキーワードの指定が無いか、または、キーワードの登録要求がされない場合には、関連キーワードの登録処理を行わずに処理を終了する（ステップ８０４，８０５）。
【００１５】
図９は、キーワード検索処理結果として表示された各文書に含まれるキーワードについて、関連キーワード登録を行う処理手順を示すフローチャートである。
文書検索装置は、図７に示す文書検索処理と同様に、ユーザ端末により指定された検索キーワードを受付け、検索処理を行うとともに、キーワード頻度算出処理及び関連キーワード頻度算出処理を行い、検索結果をＷｅｂページ１１０に表示する（ステップ９０１〜９０５）。
出現頻度の算出結果に関連して表示された各キーワード又は関連キーワードについて、２つ以上のキーワード等の指定がされた場合に（ステップ９０６）、関連キーワード登録処理部は、キーワード登録要求待ちの状態となり、ユーザ端末からのキーワード登録要求を受付けることにより（ステップ９０７）、関連キーワード登録処理を行う（ステップ９０８）。
その後、ユーザ端末からの絞込要求又は文書閲覧要求を受付けて、各処理を行う（ステップ９０８〜９１０）。なお、ステップ９０８で登録処理が行われた後に絞込検索要求があった場合には（ステップ９１０）、新たに登録された関連キーワードについても、ステップ９０４で関連キーワード頻度の算出処理を行う。
【００１６】
図１０は、文書ＩＤに基づく検索処理結果として表示された各文書に含まれるキーワードについて、関連キーワード登録を行う処理手順を示すフローチャートである。
文書検索装置は、文書ＩＤの指定を受付け（ステップ１００１）、文書検索処理を行うとともに（ステップ１００２）、検索結果として取得した各文書について、図７に示す文書検索処理と同様に、キーワード頻度算出処理及び関連キーワード頻度算出処理を行い、検索結果をＷｅｂページ１１０に表示する（ステップ１００３〜１００５）。
出現頻度の算出結果に関連して表示された各キーワード又は関連キーワードについて、２つ以上のキーワード等の指定がされた場合に（ステップ１００６）、関連キーワード登録処理部は、キーワード登録要求待ちの状態となり、ユーザ端末からのキーワード登録要求を受付けることにより（ステップ１００７）、関連キーワード登録処理を行う（ステップ１００８）。
その後、ユーザ端末により新たに入力された文書ＩＤについての文書ＩＤ検索要求があった場合には（ステップ１００９）、文書検索処理等の各処理を行う（ステップ１００１〜１００８）。なお、ステップ１００８で登録処理が行われた後に文書ＩＤ検索要求があった場合には（ステップ１００９）、新たに登録された関連キーワードについても、ステップ１００４で関連キーワード頻度の算出処理を行う。
【００１７】
図１１は、文書検索装置がＷｅｂページに表示するメニュー表示画面の画面構成の一例を示す図である。
メニュー表示画面１１００は、キーワード検索部１１１０と、文書ＩＤ検索処理部１１２０と、キーワード表示画面へのリンク１１３０とを備える。
キーワード検索部１１１０は、検索キーワード入力欄１１１１と、キーワード検索処理ボタン１１１２とを有し、検索キーワード入力欄１１１１に検索キーワードが入力され、キーワード検索処理ボタン１１１２が操作されることにより、文書検索装置は、図９に示す各処理を行う。
文書ＩＤ検索部１１２０は、文書ＩＤ入力欄１１２１と、文書ＩＤ検索処理ボタン１１２２とを有し、文書ＩＤ入力欄１１２１に文書ＩＤが入力され、文書ＩＤ検索処理ボタン１１２２が操作されることにより、文書検索装置は、図１０に示す各処理を行う。
リンク１１３０は、操作がされることにより、文書検索装置は、図８に示す各処理を行う。
【００１８】
図１２は、図１１に示すメニュー表示画面１１００において、キーワード検索処理ボタン１１１２が操作された結果として、図９のステップ９０５に示す検索結果の表示画面の一例を示す図である。
キーワード検索結果表示画面１２００は、検索キーワード表示部１２１０と、絞込検索処理ボタン１２２０と、検索結件数表示部１２３０と、文書情報表示部１２４０と、関連キーワード登録処理ボタン１２５０と、キーワード表示部１２６０と、関連キーワード表示部１２７０とから構成される。
検索キーワード表示部１２１０には、ユーザにより入力された検索キーワードが表示され、さらに、絞込検索を行うための検索キーワードの入力欄となる。
検索結果件数表示部１２３０には、検索結果として取得した文書の件数と、現在表示している文書が取得した全文書中の何件目から何件目であるかが表示され、「前へ」「次へ」の各ボタンの操作により、文書情報表示部１２４０に表示される文書情報が変更される。
文書情報表示部１２４０には、検索結果として取得した各文書について文書ＩＤ，タイトル，著者が表示され、各文書ＩＤは、文書内容表示画面にリンクされている。
本実施の形態では、キーワード表示部１２６０，関連キーワード表示部１２７０のそれぞれに、文書検索処理部１０１の頻度算出処理部１０４により処理されたキーワード及び関連キーワードの出現頻度が表示される。ここで、キーワード表示部１２６０に表示されるキーワードの頻度は、検索結果として取得した全文書中に各キーワードが何回出現したかを表す。また、関連キーワード表示部１２７０に表示される関連キーワードの頻度は、関連キーワードを構成する複数のキーワード全てを含む文書の件数を示す。
キーワード部１２６０及び関連キーワード表示部１２７０には、チェックボックス１２６１，１２７１が設けられ、関連キーワードとして登録するキーワード又は関連キーワードのチェックボックス１２６１，１２７１について、チェックが入れられた状態において、関連キーワード登録処理ボタン１２４０が操作された場合には、チェックが入れられたキーワード又は関連キーワードについて関連キーワード登録処理部１０３が登録処理を行う。一方、絞込検索処理ボタン１２２０が操作された場合には、検索キーワード表示部１２１０に表示されたキーワードと、チェックが入れられたキーワード又は関連キーワードとを検索条件として、文書検索処理部１０１が絞込検索処理を行う。
【００１９】
図１３は、図１１に示すメニュー表示画面１１００において、文書ＩＤ検索処理ボタン１１２２が操作された結果として、図１０のステップ１００５に示す検索結果の表示画面の一例を示す図である。
文書ＩＤ検索結果表示画面１３００は、文書ＩＤ入力・表示部１３１０と、文書ＩＤ検索処理ボタン１３２０と、検索結件数表示部１３３０と、関連キーワード登録処理ボタン１３４０と、文書情報表示部１３５０，キーワード表示部１３６０，関連キーワード表示部１３７０の各検索結果表示部とから構成される。
本実施の形態では、図１２に示すキーワード検索結果表示画面１２００と同様に、キーワード表示部１３６０，関連キーワード表示部１３７０のそれぞれに、文書検索処理部１０１の頻度算出処理部１０４により処理されたキーワード及び関連キーワードの出現頻度が表示される。
キーワード表示部１３６０及び関連キーワード表示部１３７０には、チェックボックス１３６１，１３７１が設けられ、関連キーワードとして登録するキーワード又は関連キーワードのチェックボックス１３６１，１３７１について、チェックが入れられた状態で、関連キーワード登録処理ボタン１３４０が操作されることにより、関連キーワード登録処理部１０３が登録処理を行う。
文書情報表示部１３５０には、文書ＩＤ，タイトル，著者が表示され、文書ＩＤには、文書内容を表示する表示画面がリンクされている。
【００２０】
図１４は、図１１に示すメニュー表示画面１１００において、リンク１１３０が操作された結果として、図８のステップ８０３に示すキーワード一覧を表示する画面の一例を示す図である。
キーワード一覧表示画面１４００は、各キーワードの頭文字を示す頭文字一覧表示部１４１０と、指定された頭文字を表示する指定文字表示部１４２０と、関連キーワード登録処理ボタン１４３０と、指定された頭文字を有するキーワードの一覧を表示するキーワード一覧表示部１４４０と、既に登録されている関連キーワードを表示する関連キーワード一覧表示部１４５０とを備える。
頭文字一覧表示部１４１０に表示された各文字には、各文字毎のキーワード一覧表示画面がリンクされている。
キーワード一覧表示部１４４０及び関連キーワード一覧表示部１４５０には、チェックボックス１４４１，１４５１が設けられ、関連キーワードとして登録するキーワード又は関連キーワードのチェックボックス１４４１，１４５１について、チェックが入れられた状態で、関連キーワード登録処理ボタン１４３０が操作されることにより、関連キーワード登録処理部１０３が登録処理を行う。
【００２１】
図１５は、図１２，図１３に示す文書情報表示部１２５０，１３５０の文書ＩＤにリンクされた文書内容表示画面の一例を示す図である。
文書内容表示画面１５００は、指定された文書について、文書データベース１０５に格納された情報に基づき、文書ＩＤ１５１０，タイトル１５２０，著者１５３０，文書内容１５４０を表示する。
【００２２】
以上のように、本実施の形態に係る文書検索装置では、検索結果として取得した文書集合について、検索キーワードとして利用可能なキーワードの出現頻度とともに、関連キーワード頻度として各関連キーワードを含む文書数を表示することとしたので、関連キーワード頻度に基づき、前記文書集合の特徴を正確に把握させることが可能となり、文書検索において適切なキーワードを選択させることが可能となる。従って、ユーザにとって、所望の文書を取得させることを容易なものとすることが可能となる。
この場合、各ユーザにより任意に選択されたキーワード等の組合せを、各ユーザ毎の関連キーワードとして登録することとしたので、各ユーザ毎に選択された関連キーワードの頻度の算出が可能となり、各ユーザの求める特徴を有する文書か否かを適切に判断させることが可能となる。また、登録された関連キーワードを検索キーワードとして利用することにより、ある特定の特徴を有する文書について定期的な検索処理等を容易に行うことが可能となる。
また、検索結果として取得した文書集合について、キーワード頻度，関連キーワード頻度とともに表示されたキーワード又は関連キーワードから、任意に選択されたキーワードの組合せを関連キーワードとして登録することとしたので、ユーザは表示された各頻度により、関連キーワードとして適切なキーワードの組合せを選択させることが可能となる。
また、任意に指定された文書について、キーワード頻度，関連キーワード頻度とともに表示されたキーワード又は関連キーワードから、任意に選択されたキーワードの組合せを関連キーワードとして登録することとしたので、ユーザは所定の文書と同様の特徴を有する文書を検索するための関連キーワードを容易に選定することが可能となる。従って、文書データベースに格納された文書集合について、ある特定の分野に関して新たに追加された論文や文献等を定期的に検索するような場合に、特定の文書から抽出したキーワードを任意に選択させて関連キーワードとして予め登録しておくことにより、適切な検索キーワードに基づく検索処理が可能となる。
なお、本発明の文書検索装置の構成としては、前記実施の形態に示すものには限られず、同様の処理を可能とするものであれば、各処理部の構成及び各データベースにおけるデータ構造等を変更してもよい。また、各処理部及び各データベースは、複数の端末により構成することとしてもよい。
【図面の簡単な説明】
【００２３】
【図１】本発明の一実施の形態に係る文書検索装置の概略構成を示すブロック図である。
【図２】文書データベースのデータ構造の一例を示す図である。
【図３】キーワードデータベースのデータ構造の一例を示す図である。
【図４】キーワード頻度データベースのデータ構造の一例を示す図である。
【図５】ユーザデータベースのデータ構造の一例を示す図である。
【図６】関連キーワードデータベースのデータ構造の一例を示す図である。
【図７】本発明の一実施の形態に係る文書検索装置による検索処理手順を示すフローチャートである。
【図８】本発明の一実施の形態に係る文書検索装置による関連キーワード登録処理手順の一例を示すフローチャートである。
【図９】本発明の一実施の形態に係る文書検索装置による関連キーワード登録処理手順の他の例を示すフローチャートである。
【図１０】本発明の一実施の形態に係る文書検索装置による関連キーワード登録処理手順の他の例を示すフローチャートである。
【図１１】文書検索装置の表示するメニュー表示画面の画面構成の一例を示す図である。
【図１２】文書検索装置の表示するキーワード検索結果表示画面の画面構成の一例を示す図である。
【図１３】文書検索装置の表示する文書ＩＤ検索結果表示画面の画面構成の一例を示す図である。
【図１４】文書検索装置の表示するキーワード一覧表示画面の画面構成の一例を示す図である。
【図１５】文書検索装置の表示する文書内容表示画面の画面構成の一例を示す図である。
【符号の説明】
【００２４】
１００  文書検索装置、１０１  文書検索処理部、１０２  キーワード表示処理部、１０３  関連キーワード登録処理部、１０４  頻度算出処理部、１０５  文書データベース、１０６  キーワードデータベース、１０７  キーワード頻度データベース、１０８    ユーザデータベース、１０９  関連キーワードデータベース、１１０  Ｗｅｂページ。
【図１】
2005056154.tif 000003
【図２】
2005056154.tif 000004
【図３】
2005056154.tif 000005
【図４】
2005056154.tif 000006
【図５】
2005056154.tif 000007
【図６】
2005056154.tif 000008
【図７】
2005056154.tif 000009
【図８】
2005056154.tif 000010
【図９】
2005056154.tif 000011
【図１０】
2005056154.tif 000012
【図１１】
2005056154.tif 000013
【図１２】
2005056154.tif 000014
【図１３】
2005056154.tif 000015
【図１４】
2005056154.tif 000016
【図１５】
2005056154.tif 000017